(57)【要約】【課題】形状や外形寸法の異なるマンホール蓋に対しても、道路面を傷付けることなく確実に縁切り作業を実行することができ、従って汎用性と実用性に優れたマンホール蓋の縁切り装置を提供する。【解決手段】本発明に係る縁切り装置は、左右水平方向に伸びるフレーム１と、フレーム１の左右方向の中央部に設けられてマンホール蓋４を持ち上げるリフト手段と、フレーム１の左右両端部に設けられて装置全体の荷重を受ける支持体１０とを含む。各支持体１０は、フレーム１に対して左右方向にスライド操作可能に、しかも連結軸１３を中心に回転操作可能に連結されている。受け枠４０の位置および形状に合わせて、各支持体１０をスライド操作および回転操作して、支持体１０を受け枠４０上に設置することにより、受け枠４０を支点としてマンホール蓋４を持ち上げて、受け枠４０から縁切りできる。【選択図】図１
2010261271.tif 000002
【特許請求の範囲】
【請求項１】
受け枠（４０）からマンホール蓋（４）を持ち上げて、該受け枠（４０）に対するマンホール蓋（４）の嵌め込み状態を解除するためのマンホール蓋の縁切り装置であって、
左右水平方向に伸びるフレーム（１）と、フレーム（１）の左右方向の中央部に設けられてマンホール蓋（４）を持ち上げるリフト手段と、フレーム（１）の左右両端部に設けられて装置全体の荷重を受ける支持体（１０）とを含み、
各支持体（１０）とフレーム（１）との間は、縦方向に伸びる連結軸（１３）により連結されており、
各支持体（１０）が、フレーム（１）に対して左右方向にスライド操作可能に、しかも連結軸（１３）を中心に回転操作可能に連結されており、
受け枠（４０）の位置および形状に合わせて、各支持体（１０）をスライド操作および回転操作して、該支持体（１０）を受け枠（４０）上に設置することにより、受け枠（４０）を支点としてリフト手段によりマンホール蓋（４）を持ち上げることができるように構成されていることを特徴とするマンホール蓋の縁切り装置。
【請求項２】
支持体（１０）は、縦姿勢に配された平板体であり、
支持体（１０）の受け枠（４０）に接する底面の一側面側を円弧状に切り欠いて、凹欠部（２０）が形成されている請求項１記載のマンホール蓋の縁切り装置。
【請求項３】
リフト手段が、フレーム（１）の左右方向の中央部に上下方向に向かって貫設された軸受孔（２）と、該軸受孔（２）に挿通されたボルト（３）と、ボルト（３）の下端に装着されてマンホール蓋（４）に形成された係合穴（５）に係合可能な係止部（６）と、ボルト（３）の上端に螺合する雌螺子部（７）を有するシャフト（８）と、シャフト（８）の上端部に設けられたハンドル（９）とを含む請求項１又は２記載のマンホール蓋の縁切り装置。
【請求項４】
係止部（６）は、種別の異なるマンホール蓋（４）の係合穴（５）の形状に合わせて形成された、二種以上のアタッチメント（２７・２８）を含み、
ボルト（３）の下端に係止部（６）の上端が揺動可能に枢結されており、ボルト（３）に対して係止部（６）を揺動操作することにより、アタッチメント（２７・２８）を切り換えることができるようになっている請求項３記載のマンホール蓋の縁切り装置。
【発明の詳細な説明】
【技術分野】
【０００１】
本発明は、受け枠からマンホール蓋を持ち上げて、受け枠に対するマンホール蓋の嵌め込み状態を解除して、受け枠からマンホール蓋を縁切りするためのマンホール蓋の縁切り装置に関する。
【背景技術】
【０００２】
この種のマンホール蓋の縁切り装置の従来例としては、例えば、特許文献１〜３を挙げることができる。
【０００３】
特許文献１の縁切り装置は、道路面上に設置される直方体形状の枠組体と、一対の蓋昇降機構を含む装置本体と、装置本体が走行するレールを含む軌道装置とを備える。蓋昇降機構は、枠本体に架設される梁部材に回転可能、且つ上下動不能に装着された昇降用ナットと、該昇降用ナットに螺合装着された昇降用ボルトとを含む。昇降用ボルトの下端にはマンホール蓋に埋設された埋め込みナットに螺合する螺子部が設けられており、上端にはハンドルが設けられている。昇降用ナットには回転レバーが設けられている。
特許文献１の縁切り装置では、現場においてマンホール蓋および受け枠を囲むように道路面上に枠組体および軌道装置を組み立て、マンホール蓋のナットに位置合わせして蓋昇降機構を設置する。次に、ハンドルを回転させる螺子部を埋め込みナットに螺合して固定したうえで、回転レバーを回転操作して昇降用ボルトを上昇させて、マンホール蓋を受け枠から引き上げて縁切りする。最後に軌道装置のレールに沿って装置本体を移動させることで、所定位置にマンホール蓋を移動および載置することができる。
【０００４】
特許文献２に係る縁切り装置は、道路面上に設置されるコマ付きのベースと、ベースに設けられた巻上げハンドルを含む蓋昇降機構と、蓋昇降機構の下端に設けられてマンホール蓋に係合されるアタッチメントを有するフレームとを含む。この装置によれば、アタッチメントをマンホール蓋に係合させたうえで、巻き上げハンドルを回転操作することでマンホール蓋を持ち上げて縁切りすることができる。また、マンホール蓋を持ち上げた状態でコマを利用してベースごと移動させることで、マンホール蓋を所定位置に移動させることができる。
【０００５】
特許文献３に係る縁切り装置は、道路面上に設置される載置部と、載置部に設けられたジャッキ機構と、マンホール蓋の係合孔に係合されるカギ部を有するリフトバーとを備える。そして、ジャッキ機構により、リフトバーを持ち上げることにより、マンホール蓋を持ち上げて受け枠から縁切りできる。
【先行技術文献】
【特許文献】
【０００６】
【特許文献１】特開平０８−３０２７２１号公報
【特許文献２】特開２００８−０８１９４０号公報
【特許文献３】実用新案登録第２５００９０９号公報
【発明の概要】
【発明が解決しようとする課題】
【０００７】
上記のような特許文献１〜３に係る縁切り装置によれば、手動の蓋昇降機構或いはジャッキ機構により、確実にマンホール蓋を持ち上げて受け枠から縁切りできるので、縁切り作業時における作業者負担を小さくすることができる。しかし、受け枠を囲む道路面を支点としてマンホール蓋を持ち上げるため、道路面を傷付けるおそれがある。具体的には、マンホール蓋がアスファルト道路に設置されている場合には、当該アスファルト面を支点として数十キロから百キロを越えるマンホール蓋を持ち上げるため、アスファルト面を傷付ける、或いはアスファルトを陥没させるおそれがある。マンホール蓋がタイルブロック舗装された道路に設置されている場合には、タイルブロックの表面を傷付け、最悪の場合にはタイルブロックの破損を招くおそれがある。加えて、支点である道路面が陥没或いは損傷すると、適確にマンホール蓋を持ち上げることが困難となり、縁切り装置の再度のセットが必要となり、縁切り作業の作業効率が低下するおそれもある。
【０００８】
加えて、マンホール蓋には、円盤状や四角状などがあり、また、その外形寸法もマンホール蓋の種別や型式により異なる。従って、多種多様なマンホール蓋に対しても使用可能であり、しかも上述のごとく道路面を損傷させることのない、汎用性および実用性に優れた縁切り装置の開発が求められていた。
【０００９】
本発明の目的は、形状や外形寸法の異なるマンホール蓋に対しても、道路面を傷付けることなく確実に縁切り作業を実行することができ、従って汎用性と実用性に優れたマンホール蓋の縁切り装置を提供することを目的とする。
【課題を解決するための手段】
【００１０】
本発明は、受け枠４０からマンホール蓋４を持ち上げて、該受け枠４０に対するマンホール蓋４の嵌め込み状態を解除するためのマンホール蓋の縁切り装置を対象とする。この縁切り装置は、左右水平方向に伸びるフレーム１と、フレーム１の左右方向の中央部に設けられてマンホール蓋４を持ち上げるリフト手段と、フレーム１の左右両端部に設けられて装置全体の荷重を受ける支持体１０とを含む。各支持体１０とフレーム１との間は、縦方向に伸びる連結軸１３により連結されており、各支持体１０が、フレーム１に対して左右方向にスライド操作可能に、しかも連結軸１３を中心に回転操作可能に連結されている。そして、受け枠４０の位置および形状に合わせて、各支持体１０をスライド操作および回転操作して、該支持体１０を受け枠４０上に設置することにより、受け枠４０を支点としてリフト手段によりマンホール蓋４を持ち上げることができるように構成されていることを特徴とする。
【００１１】
支持体１０は、縦姿勢に配された平板体であり、支持体１０の受け枠４０に接する底面の一側面側を円弧状に切り欠いて、凹欠部２０を形成する。
【００１２】
リフト手段が、フレーム１の左右方向の中央部に上下方向に向かって貫設された軸受孔２と、該軸受孔２に挿通されたボルト３と、ボルト３の下端に装着されてマンホール蓋４に形成された係合穴５に係合可能な係止部６と、ボルト３の上端に螺合する雌螺子部７を有するシャフト８と、シャフト８の上端部に設けられたハンドル９とを含む構成とする。
【００１３】
係止部６は、種別の異なるマンホール蓋４の係合穴５の形状に合わせて形成された、二種以上のアタッチメント２７・２８を含むものとする。ボルト３の下端に係止部６の上端が揺動可能に枢結する。そして、ボルト３に対して係止部６を揺動操作することにより、アタッチメント２７・２８を切り換え可能とする。
【発明の効果】
【００１４】
本発明のマンホール蓋の縁切り装置においては、各支持体１０を、フレーム１に対して左右方向にスライド操作可能に、しかも連結軸１３を中心に回転操作可能に連結した。このように、各支持体１０をスライド操作および回転操作可能に構成すると、例えば円盤状のマンホール蓋４に対しては、図８に示すように、両支持体１０・１０をハ字状とすることにより、両支持体１０・１０がマンホール蓋４に被さることなく、しかも受け枠４０から食み出て道路面Ｇに突出する支持体１０・１０の突出面積を最小限に抑えながら、円リング状の受け枠４０上に両支持体１０・１０を設置することができる。また、四角平板状のマンホール蓋４に対しては、図９に示すように、受け枠４０の隣合う二つの辺の上に載るように、両支持体１０・１０を互いに直交する方向に姿勢変位することにより、四角枠状の受け枠４０上に両支持体１０・１０を設置することができる。尤も、外形寸法の小さなマンホール蓋４に対しては、両支持体１０・１０を互いに平行状に姿勢変位して、四角枠状の受け枠４０の対向する二つの辺の上に両支持体１０・１０を設置することができる。
【００１５】
以上のように、本発明に係る縁切り装置によれば、各支持体１０を、フレーム１に対して左右方向にスライド操作可能に、しかも連結軸１３を中心に回転操作可能に連結したので、両支持体１０・１０の姿勢状態を受け枠４０の形状や寸法に合わせて適宜に姿勢変位させて、両支持体１０・１０を受け枠４０上に確実に設置することができる。
また、このように、受け枠４０上に両支持体１０・１０を設置することができれば、当該受け枠４０を支点としてマンホール蓋４を持ち上げることができるので、従来の縁切り装置のように、道路面Ｇを支点としてマンホール蓋４を持ち上げる形態では不可避であった、アスファルトやタイルブロックからなる道路面Ｇの損傷、或いは陥没などの問題を一掃することができる。
従って、本発明に係る縁切り装置によれば、形状や外形寸法の異なるマンホール蓋４に対しても、道路面Ｇを損傷することなく、確実に縁切り作業を行なうことが可能であり、汎用性と実用性に優れた縁切り装置を得ることができる。
【００１６】
支持体１０の受け枠４０に接する底面の一側面側を円弧状に切り欠いて、凹欠部２０を形成してあると、支持体１０がマンホール蓋４に被さることを防ぎながら、受け枠４０を食み出して道路面Ｇに至る支持体１０の突出面積をさらに最小限化することができる。すなわち、図８に示すように、円リング状の受け枠４０に支持される円盤状のマンホール蓋４に対して縁切り作業を行なう場合には、凹欠部２０側がマンホール蓋４側に指向するように両支持体１０・１０をハ字状に姿勢変位させることにより、凹欠部２０の分だけマンホール蓋４に可及的に近付けて支持体１０・１０を設置することができる。従って、支持体１０がマンホール蓋４に被さることを防ぎながら、受け枠４０から食み出して道路面Ｇに至る支持体１０の突出面積を最小限化できる。
また、図９に示すように、四角枠状の受け枠４０に支持される四角形状のマンホール蓋４に対して縁切り作業を行なう場合には、先とは逆に凹欠部２０側が道路面Ｇ側に指向するように支持体１０を姿勢変位させることにより、凹欠部２０の分だけ受け枠４０から食み出して道路面Ｇに至る支持体１０の突出面積を最小限化することができる。
【００１７】
リフト手段が、フレーム１の左右方向の中央部に上下方向に向かって貫設された軸受孔２と、該軸受孔２に挿通されたボルト３と、ボルト３の下端に装着されてマンホール蓋４に形成された係合穴５に係止可能な係止部６と、ボルト３の上端に螺合する雌螺子部７を有するシャフト８と、シャフト８の上端部に設けられたハンドル９とを含むものとしてあると、ハンドル９を回転させる手動操作により、マンホール蓋４を持ち上げて縁切りすることができる。従って、モータ等の電動機構によりリフト手段を構成する形態に比べて、装置の全体コストを削減することができる。また、フレーム１、ボルト３、シャフト８、ハンドル９により縁切り装置が構成されているので、現場における組み立て作業が簡単である点でも優れている。各構成部品を分割することで、運搬時の占有スペースを小さくすることができる点でも優れている。
【００１８】
マンホール蓋４の係合穴５の開口形状や開口寸法には、多数の種類が存在する。そこで、本発明においては、係止部６が種別の異なるマンホール蓋４の係合穴５の形状に合わせて形成された二種以上のアタッチメント２７・２８を含むものとした。また、ボルト３の下端に係止部６の上端を揺動可能に枢結して、ボルト３に対して係止部６を揺動操作することによりアタッチメント２７・２８を切り換えることができるようにした。これによれば、係止部６を揺動操作するワンタッチの操作で、マンホール蓋４の係合穴５に応じたアタッチメント２７・２８を選択して、縁切り作業を迅速に進めることができるので、作業効率の格段の向上を図ることができる。また、マンホール蓋４の係合穴５の種別分だけ縁切り装置を用意する必要が無く、汎用性に優れた縁切り装置を実現することができる。
【図面の簡単な説明】
【００１９】
【図１】本発明に係るマンホール蓋の縁切り装置の正面図である。
【図２】縁切り装置の分解斜視図である。
【図３】縁切り装置の要部の縦断正面図である。
【図４】縁切り装置の縦断側面図である。
【図５】縁切り装置の要部の縦断正面図である。
【図６】図５におけるＡ−Ａ線断面図である。
【図７】（ａ）・（ｂ）は、アタッチメントの切り換え方法を説明するための図である。
【図８】丸形のマンホール蓋に対する縁切り装置の使用方法を説明するための図である。
【図９】四角形のマンホール蓋に対する縁切り装置の使用方法を説明するための図である。
【発明を実施するための形態】
【００２０】
（実施例）  図１乃至図９に、本発明に係るマンホール蓋の縁切り装置（以下、単に縁切り装置と記す。）の実施例を示す。なお、本発明における前後、左右、上下とは、図２に示す交差矢印と前後、左右、上下の表記に従う。図１および図２において、縁切り装置は、左右方向に伸びるフレーム１と、フレーム１の左右方向の中央部の軸受孔２に挿通されるボルト３と、ボルト３の下端に装着されてマンホール蓋４の係合穴５に係合する係止部６と、ボルト３の上端に螺合する雌螺子部７を有するシャフト８と、シャフト８の上端部に設けられたハンドル９と、フレーム１の左右両端部に設けられて、装置全体の荷重を受ける左右一対の支持体１０などで構成される。図８および図９に示すように、マンホール蓋４は、道路面Ｇに設置された受け枠４０内に載置されている。
【００２１】
フレーム１は、軸受孔２を有する中空円筒状の軸受体１１と、軸受体１１の外周面の対向位置に溶接固定された左右一対の翼体１２・１２とで構成される。各翼体１２は、縦姿勢に配された四角形状の金属板体であり、図１に示すごとく、正面視で底面が水平であり、上面が左右外方向に行くに従って緩やかに下り傾斜する、外窄まりテーパー状に形成されている。
【００２２】
図５および図６に示すように、各翼体１２の底面には、一個の支持体１０が連結軸１３を介して左右方向にスライド操作可能に、しかも回転操作可能に連結されている。詳しくは、各翼体１２の底面には、逃げ溝１５が左右方向に長く凹み形成されており、この逃げ溝１５を囲むように、左右方向に長い長孔１６を有するプレート１７がビス１８により固定されている。翼体１２の逃げ溝１５は、連結軸１３であるビスの頭部１３ａの左右方向のスライド移動を許すために設けてあり、プレート１７の長孔１６は連結軸１３の軸部１３ｂの挿通を許すために設けてある。かくして、プレート１７の長孔１６に連結軸１３の軸部１３ｂを上方より挿通したうえで、プレート１７を翼体１２の底面に固定することにより、プレート１７の長孔１６の上面周縁で頭部１３ａの下面を受け止めて、連結軸１３を下方へは抜け外れ不能に支持することができる。また、逃げ溝１５により連結軸１３を左右方向にスライド移動自在に案内支持することができる。また、連結軸１３を、逃げ溝１５内で回転自在に支持することができる。従って、連結軸１３の下端に支持体１０を装着固定することにより、支持体１０を翼体１２に対してスライド移動操作可能に、しかも回転操作可能な構成とすることができる。
【００２３】
支持体１０は、上面が短辺で、底面が長辺の台形形状の金属板体であり、底面の一側面側の中央部を円弧状に切り欠いて凹欠部２０が形成されている（図８および図９参照）。すなわち、底面の一長辺の長さ方向の中央部には、該長さ方向の中央部分における厚み方向側への侵入寸法が大きく、長さ方向の両端に向かって漸次侵入寸法が小さくなっていく、円弧状の凹欠部２０が形成されている。
【００２４】
フレーム１の軸受体１１の軸受孔２、ボルト３、係止部６、シャフト８、およびハンドル９により、マンホール蓋４を持ち上げるリフト手段が構成されている。図３に示すように、ボルト３は、上下方向に長く、外周面に雄螺子を有する軸部２３と、軸部２３の下端に連設された連結片２４とを有する。連結片２４には、後述のボルト３２の挿通を許すガイド孔が通設されている。
【００２５】
図２、図３および図７に示すように、係止部６は、基枠ブロック２６と二つのアタッチメント２７・２８とを一体に形成した金属成形品である。基枠ブロック２６は、一対の側壁部２９・２９と、両側壁部２９・２９を繋ぐ端壁部３０および底壁部３１とからなり、上方および一側方に開口を有して、両側壁部２９・２９により連結片２４を挟持状に捕捉する断面コ字状に形成されている。第１アタッチメント２７は、端壁部３０の外面に突出形成され、第２アタッチメント２８は、底壁部３１の外面に突出形成されている。両側壁部２９・２９には、ボルト３２の軸部の挿通を許すガイド孔が通設されている。両側壁部２９・２９により連結片２４を挟持する状態で、両ガイド孔にボルト３２を挿通し、側壁部２９から突出するボルト３２の軸部にナット３３を締結固定することにより、ボルト３２の下端に係合部６が装着される。かかる装着状態において、係止部６はボルト３２まわりに揺動自在であり、図７（ａ）に示すごとく第１アタッチメント２７が下方に指向し、第２アタッチメント２８が水平方向に指向する第１姿勢と、第１アタッチメント２７が水平方向に指向し、第２アタッチメント２８が下方に指向する第２姿勢との間で姿勢を変更させることができる。また、ボルト３を回転操作することで、係止部６を回転させることができる。
【００２６】
図７（ａ）に示すように、第１アタッチメント２７と第２アタッチメント２８とは、適用されるマンホール蓋４の係合穴５に対応して異なる鍵形状に形成されている。詳しくは、第１アタッチメント２７は、底壁部の外面から片持ち状に伸びる多角軸状の支持軸２７ａと、支持軸２７ａの遊端に形成されて水平方向に伸びる横長の略四角柱形状の鍵ブロック２７ｂとからなる。図７（ａ）に示すように、鍵ブロック２７ｂの底面と、長さ方向側に位置する側面との間のコーナー部には、下方向に指向するガイド面２７ｃが形成されている。第１アタッチメント２７が適用されるマンホール蓋４には、コーナー部が丸められた四角長孔状の係合穴５が形成されている。従って、係合穴５の伸び方向に、鍵ブロック２７ｂの伸び方向が一致する差込姿勢としたうえで、鍵ブロック２７ｂを係合穴内に差し込み、次いで、ボルト３ごと鍵ブロックを９０°回転操作することにより、鍵ブロック２７ｂの上面が係合穴５の内面周縁に係合する使用姿勢とすることができる（図１および図３参照）。
【００２７】
図７（ａ）・（ｂ）に示すように、第２アタッチメント２８は、端壁部３０の外面から片持ち状に延びる円柱状の支持軸２８ａと、支持軸２８ａの外面に張り出し形成された一対の断面馬蹄形の翼ブロック２８ｂ・２８ｂとで構成されている。図７（ｂ）に示すように、当該第２アタッチメント２８が適用されるマンホール蓋４には、先端が丸められた略十字状の係合穴５が開設されている。また、第２アタッチメント２８は、断面視で係合穴５の開口形状と一致し、且つ係合穴５の開口寸法よりも僅かに小さな、略十字状とされている。従って、第２アタッチメントを係合穴に差し込んだうえで、ボルト３ごと第２アタッチメントを９０°回転操作することにより、翼ブロック２８ｂの上面が係合穴５の内面周縁に係合する使用姿勢とすることができる。
【００２８】
マンホール蓋４には、係合穴５の開口形状や開口寸法の異なる多数の種類が存在する。従って、係止部６の上端がボルト３の下端に対してボルト３２−ナット３３構造により着脱可能に構成されていると、係止部６を交換するだけで、種々の形状や開口寸法を有する係合穴５への対応が可能となる。また、係止部６のアタッチメント２７・２８が損傷等した場合には、係止部６のみを交換すればよく、縁切り装置の全体を交換する場合に比べて、コスト的にも格段に有利である。
【００２９】
シャフト８は、上下に開口を有する中空円筒体であり、その上端にハンドル９が固定されている。図２および図３に示すように、シャフト８の下端には、ボルト３の上端に係合する雌螺子部７が形成されており、ハンドル９を時計方向に回転操作することにより、係止部６により係止されたマンホール蓋４を持ち上げることができる。詳しくは、シャフト８は、常にその下端面がフレーム１の軸受体１１の上端面に接触する上下方向の定位置で回転操作され、かかるシャフト８の回転操作に伴なって、相対的にボルト３を上方に引き上げることにより、マンホール蓋４を持ち上げて受け枠４０から縁切りができる。
【００３０】
ハンドル９は、シャフト８の外面の対向二箇所に設けられた中空円筒状のハンドル軸３５・３５と、各ハンドル軸３５の遊端に外嵌装着された滑り止め用のグリップ体３６とからなり、両手でグリップ体３６を掴んで、これを反時計方向に回転操作することで、シャフト８を回転操作して、マンホール蓋４を持ち上げることができる。また、マンホール蓋４の重量が大きい場合には、ハンドル軸３５の先端開口に鉄筋などの操作棒を差し込み、当該操作棒を回転操作することにより、より大きな力で以てシャフト８を回転操作して、マンホール蓋４を持ち上げることができる。
【００３１】
次に、以上のような構成からなる縁切り装置の使用方法について、図７乃至図９を参照して説明する。まず、マンホール蓋４の係合穴５に合致するアタッチメント２７・２８が下方に来るように、第１姿勢（図７（ａ）参照）又は第２姿勢（図７（ｂ）参照）を選択し、選択したアタッチメント２７（２８）を係合穴５に上方より差し込む。次に、ボルトを９０°回転操作して、アタッチメント２７（２８）を係合穴５の内面周縁に係合させる。両支持体１０の姿勢状態を変位させて、受け枠４０上に支持体１０を設置する。
【００３２】
かかる支持体１０の設置に際しては、マンホール蓋４に支持体１０が被らないように、且つ受け枠４０の外縁から食み出て道路面上に至る支持体４０の突出面積が最小限となるように留意する。具体的には、図８および図１に示すように、円リング状の受け枠４０に支持される円盤状のマンホール蓋４に対して縁切り作業を行なう場合には、凹欠部２０側がマンホール蓋側に指向するように両支持体１０をスライド操作および回転操作して、両支持体１０をハ字状とすることにより、凹欠部２０の分だけマンホール蓋４に可及的に近付けて支持体１０を受け枠４０上に設置することができる。これにて、支持体１０がマンホール蓋４に被さることを防ぎながら、受け枠４０から食み出して道路面Ｇに至る支持体１０の突出面積を最小限化できる。
【００３３】
また、図９に示すように、四角枠状の受け枠４０に支持される四角形状のマンホール蓋４に対して縁切り作業を行なう場合には、先とは逆に、凹欠部２０側が道路面Ｇ側に指向するような姿勢とする。これにより、凹欠部２０の分だけ受け枠４０から食み出して道路面Ｇに至る支持体１０の突出面積を最小限化することができる。
【００３４】
以上のような受け枠４０上への支持体１０の設置が完了すると、ハンドル９を時計方向に回転操作する。これにて、シャフト８に対して相対的にボルト３を上方に引き上げることができるので、係止部６に係止されたマンホール蓋４を上方に引き上げて、受け枠４０から縁切りすることができる。一つのマンホール蓋４に複数個の係合穴５が設けられている場合には、各係合穴５に対して上記のような縁切り作業を行なうことができる。
【００３５】
以上のように、この縁切り装置によれば、受け枠４０上に両支持体１０・１０を確実に設置することができるので、当該受け枠４０を支点としてマンホール蓋４を持ち上げることができる。従って、従来の縁切り装置のように、道路面Ｇを支点としてマンホール蓋４を持ち上げる形態では不可避であった、アスファルトやタイルブロックからなる道路面Ｇの損傷、或いは陥没などの問題を一掃することができる。また、形状や外形寸法の異なるマンホール蓋４に対しても、道路面Ｇを損傷することなく、確実に縁切り作業を実行することが可能であり、汎用性と実用性に優れた縁切り装置を得ることができる。
【００３６】
以上のような縁切り作業が終了すると、例えば特開平９−６００１７号公報に記載されているような器具を使って、マンホール蓋４を所定位置に移動させることができる。
【００３７】
係止部６のアタッチメント２７・２８は、上記実施形態に示した形状に限られない。支持体１０の形状等も、上記実施形態に示した形状に限られない。
【符号の説明】
【００３８】
１  フレーム
２  軸受孔
３  ボルト
４  マンホール蓋
５  マンホール蓋の係合穴
７  雌螺子部
８  シャフト
９  ハンドル
１０  支持体
１３  連結軸
２０  凹欠部
２７  アタッチメント（第１アタッチメント）
２８  アタッチメント（第２アタッチメント）
４０  受け枠
【図１】
2010261271.tif 000003
【図２】
2010261271.tif 000004
【図３】
2010261271.tif 000005
【図４】
2010261271.tif 000006
【図５】
2010261271.tif 000007
【図６】
2010261271.tif 000008
【図７】
2010261271.tif 000009
【図８】
2010261271.tif 000010
【図９】
2010261271.tif 000011